(57)【要約】【課題】  大きさの異なる紙幣を揃えて収納すること。【解決手段】  紙幣を重ねて収納する収納空間２２２と、この収納空間２２２に紙幣を送り込み又は収納された紙幣を放出する送込放出手段と、これらの間に形成される集積空間２２１と、集積空間２２１内に送り込まれる紙幣の進行を案内するガイド部材２０５の先端部に位置して紙幣の進行位置を規制し、規制された紙幣を収納空間２２２に渡す進行規制手段２９１と、送込放出手段に取り込まれる紙幣の寸法に基づいて、進行規制手段２９１の規制位置を制御する制御部とを備え、ガイド部材２０５は、基端が回動可能に支持され、進行規制手段２９１は、ガイド部材の先端部に回動可能に軸支されたベース部と、ベース部から放射状に突出するとともに進行する紙幣の先端が進入する凹所が形成される規制部とを有し、ガイド部材を収納空間側に押圧する弾発付勢手段を備えるようにする。【選択図】    図６
2006163917.tif 000002
【特許請求の範囲】
【請求項１】
紙幣を重ねて収納する収納空間と、該収納空間に紙幣を送り込み又は収納された紙幣を放出する送込放出手段と、該送込放出手段と前記収納空間との間に形成される集積空間と、該集積空間内に送り込まれる紙幣の進行を案内するガイド部材と、該ガイド部材の先端部に位置して前記紙幣の進行位置を規制し、該規制された紙幣を前記収納空間に渡す進行規制手段と、前記送込放出手段に取り込まれる紙幣の寸法を検出する紙幣寸法検出手段と、該紙紙幣寸法検出手段により検出された紙幣寸法に基づいて、前記進行規制手段の規制位置を制御する制御部とを備えた紙幣入出金装置であって、
前記ガイド部材は、基端が回動可能に支持され、前記進行規制手段は、前記ガイド部材の先端部に回動可能に軸支されたベース部と、該ベース部から間隔をおいて放射状に突出するとともに進行する紙幣の先端が進入する凹所が形成されてなる規制部とを有し、前記ガイド部材を前記収納空間側に押圧する弾発付勢手段を備えることを特徴とする紙幣入出金装置。
【請求項２】
前記収納空間に重ねて収納される紙幣を押圧する前記ガイド部材の押圧力と前記ガイド部材の位置との少なくとも一方を検出し、該検出値に基づいて前記収納空間の収納容量を変化させる容量調整手段を備えることを特徴とする請求項１に記載の紙幣入出金装置。
【請求項３】
紙幣を重ねて収納する収納空間と、該収納空間に紙幣を送り込み又は収納された紙幣を放出する送込放出手段と、該送込放出手段と前記収納空間との間に形成される集積空間と、該集積空間内に送り込まれる紙幣の進行を案内するガイド部材と、該ガイド部材の先端部に位置して前記紙幣の進行位置を規制し、該規制された紙幣を前記収納空間に渡す進行規制手段と、前記送込放出手段に取り込まれる紙幣の寸法を検出する紙幣寸法検出手段と、該紙紙幣寸法検出手段により検出された紙幣寸法に基づいて、前記進行規制手段の規制位置を制御する制御部とを備えた紙幣入出金装置であって、
前記ガイド部材は、基端が回動可能に支持され、前記進行規制手段は、前記ガイド部材の先端部に回動可能に軸支されたベース部と、該ベース部から間隔をおいて放射状に突出するとともに進行する紙幣の先端が進入する凹所が形成されてなる規制部とを有し、前記規制部は、前記ベース部の回転方向と反対方向に回転可能な回転部材を備えることを特徴とする紙幣入出金装置。
【請求項４】
前記回転部材は、前記ベース部の回転に伴い、被接触物に対する相対速度が零になるように遊星回転することを特徴とする請求項３に記載の紙幣入出金装置。
【請求項５】
前記進行規制手段で進行位置を規制した前記紙幣を該進行規制手段に先立って前記収納空間に押し付ける押付手段を備え、該押付手段は、前記進行規制手段の回転方向と反対方向から前記紙幣を押し付けることを特徴とする請求項１乃至３のいずれかに記載の紙幣入出金装置。
【請求項６】
前記押付手段は、前記進行規制手段と反対方向に同軸回転する可橈性のシート部材であることを特徴とする請求項５に記載の紙幣入出金装置。
【請求項７】
投入された紙幣の繰り出しと紙幣の集積との少なくとも一方を行う入出金口と、紙幣の金種を判別する紙幣判別部と、紙幣を一時的に保管する一時保管部と、金種別に紙幣を収納及び放出する還流庫と、前記紙幣判別部と前記一時保管部と前記還流庫とを結び紙幣を搬送する搬送路とを備え、前記一時保管部は、請求項１乃至６のいずれかに記載の前記紙幣入出金装置であることを特徴とする現金自動取引装置。
【請求項８】
投入された紙幣の繰り出しと紙幣の集積との少なくとも一方を行う入出金口と、紙幣の金種を判別する紙幣判別部と、紙幣を一時的に保管する一時保管部と、金種別に紙幣を収納及び放出する還流庫と、前記還流庫から紙幣を回収し、また前記還流庫に紙幣を装填する装填回収庫と、前記紙幣判別部と前記一時保管部と前記還流庫と前記装填回収庫とを結び紙幣を搬送する搬送路とを備え、前記一時保管部は、請求項１乃至６のいずれかに記載の前記紙幣入出金装置であることを特徴とする現金自動取引装置。
【発明の詳細な説明】
【技術分野】
【０００１】
本発明は、紙幣の入金と出金の少なくとも一方を行う紙幣入出金装置及びその紙幣入出金装置を備えた現金自動取引装置に関する。
【背景技術】
【０００２】
金融機関で使用される現金自動取引装置（以下、ＡＴＭという。）は、紙幣の入出金を自動で行うものであり、金種毎に紙幣を集積し分離する紙幣庫を備えている。従来の紙幣庫においては、紙幣を収納する空間の寸法を対象紙幣の寸法とほぼ同等に設定することで、対象紙幣を紙幣庫内に重ねて収納している（例えば、特許文献１参照）。つまり、紙幣庫は、任意の種類の紙幣のみを取扱対象とするため、紙幣の収納空間は対象紙幣の大きさにそれぞれ設定されている。
【０００３】
一方、取扱う紙幣は、国内での外国紙幣の増加や、国外でのＡＴＭのニーズの増加に伴い、日本紙幣に限らず、外国紙幣の取扱いが可能な装置が求められている。しかし、外国紙幣の多くは金種によって紙幣サイズが異なるため、例えば、紙幣庫の空間幅より小さい紙幣を収納する場合、その紙幣を正しく整列させることができず、紙幣の収納、排出に支障をきたす恐れがある。
【０００４】
これに対し、紙幣の収納放出を行う紙幣ユニットにおいて、集積空間内に取り込まれた紙幣の進行を案内するガイドと、そのガイドの先端で紙幣の進行位置を規制する進行規制手段とを備え、集積空間内のガイドに沿って進行する紙幣を、紙幣の大きさに応じて進行位置を規制することで、大きさの異なる紙幣を収納空間の底板上に揃えて収納する紙幣入出金装置が開示されている（特許文献２参照）。
【０００５】
ここで、進行規制手段は、ガイドの先端付近に回転軸を有するローラ部とローラ部から放射状に突出したＬ字状の羽部部とを備え、ガイドの延長上に羽根部を配置し、ガイドに沿って進行する紙幣の先端を羽根部に形成される凹状のストッパ部に接触させて進行を規制するようになっている。すなわち、紙幣の大きさに合わせて羽根部の回転角度を制御し、進行位置が規制された紙幣は、新たな羽根部の回転によって１枚ずつ収納空間内に送り込まれる。
【０００６】
【特許文献１】特開２０００−１８７７５２号公報（第５頁、第１図）
【特許文献２】特開２００３−２０３２６２号公報（第６−８頁、第２１図）
【発明の開示】
【発明が解決しようとする課題】
【０００７】
しかしながら、特許文献２によれば、集積空間において進行位置が規制された集積紙幣を進行規制手段によって収納空間内に送り込む際に、上向きに回転する羽根部との摩擦により集積紙幣が浮き上がる恐れがある。このように、紙幣が収納空間に収納される前に浮き上がると、紙幣を揃えて収納することが困難となる。
【０００８】
本発明は、大きさの異なる紙幣を揃えて収納させることを課題とする。
【課題を解決するための手段】
【０００９】
上記課題を解決するため、本発明の紙幣入出金装置は、紙幣を重ねて収納する収納空間と、収納空間に紙幣を送り込み又は収納された紙幣を放出する送込放出手段と、送込放出手段と収納空間との間に形成される集積空間と、集積空間内に送り込まれる紙幣の進行を案内するガイド部材と、ガイド部材の先端部に位置して紙幣の進行位置を規制し、規制された紙幣を収納空間に渡す進行規制手段と、送込放出手段に取り込まれる紙幣の寸法を検出する紙幣寸法検出手段と、紙紙幣寸法検出手段により検出された紙幣寸法に基づいて、進行規制手段の規制位置を制御する制御部とを備えた紙幣入出金装置であって、ガイド部材は、基端が回動可能に支持され、進行規制手段は、ガイド部材の先端部に回動可能に軸支されたベース部と、ベース部から間隔をおいて放射状に突出するとともに進行する紙幣の先端が進入する凹所が形成されてなる規制部とを有し、ガイド部材を収納空間側に押圧する弾発付勢手段を備えることを特徴とする。
【００１０】
このように、ガイド部材を収納空間側に押圧することで、進行規制手段と収納空間との間の距離が短くなり、隙間を生じる場合が少なくなるため、集積空間に取り込まれた集積紙幣の進行位置をより確実に規制部で規制するとともに、この規制された集積紙幣を短い距離で収納空間に送り込むことができる。このため、集積紙幣を収納空間に収納する際に、集積紙幣の浮き上がりを抑制し、大きさの異なる紙幣を揃えて収納することができる。また、仮に、集積空間に取り込まれた紙幣が規制部から外れても、進行規制手段と収納空間との間を紙幣が擦り抜けることを抑制できる。
【００１１】
この場合において、収納空間に重ねて収納される紙幣を押圧するガイド部材の押圧力とガイド部材の位置の少なくとも一方を検出し、この検出値に基づいて収納空間の収納容量を変化させる容量調整手段を備えることが好ましい。すなわち、紙幣は収納空間に重ねて集積されるため、紙幣の集積を続けて収納空間に収納される紙幣量が増加すると、それらの収納紙幣が進行規制手段に及ぼす反力が次第に増大し、進行規制手段は収納空間と反対方向に後退する。そこで、例えば、収納紙幣が受ける押圧力を検出し、その圧力が所定値を超えると、収納空間の収納容量を増加、つまり収納空間を進行規制手段と反対方向に拡げるようにする。これにより、ガイド部材の後退を抑制するとともに、紙幣を集積し続けても、常に所定容量の集積空間を確保することができる。また、集積紙幣を収納紙幣に押し付けるとき、集積紙幣が規制部から受ける上向きの回転方向の力を制限できる。
【００１２】
ここで、規制部は、ベース部の回転方向と反対方向に回転可能な回転部材を備えることが好ましい。これによれば、紙幣と規制部との摩擦を小さくできるから、規制部の回転に伴う集積紙幣の浮き上がりを抑制できる。また、回転部材は、ベース部の回転に伴い、被接触物に対する相対速度が零になるように遊星回転するようにしてもよい。
【００１３】
また、進行規制手段で進行位置を規制した紙幣を進行規制手段に先立って収納空間に押し付ける押付手段を備え、この押付手段は、進行規制手段の回転方向と反対方向から紙幣を押し付けるようにする。これによれば、集積紙幣は、進行規制手段によって上向きの回転方向の力を受ける前に、押付手段によって下向きの力を受けて収納紙幣に押し付けられるため、収納空間の底板に揃えて収納することができる。なお、集積紙幣は、収納紙幣に重ねて収納されると、収納紙幣との間に摩擦力が生じるため、その後規制部に押し付けられて上向きの力を受けても、浮き上がることがない。ここで、押付手段は、例えば、進行規制手段と反対方向に同軸回転する可橈性のシート部材を用いることが好ましい。
【００１４】
特に、本発明の紙幣入出金装置は、投入された紙幣の繰り出しと紙幣の集積との少なくとも一方を行う入出金口と、紙幣の金種を判別する紙幣判別部と、紙幣を一時的に保管する一時保管部と、金種別に紙幣を収納及び放出する還流庫と、紙幣判別部と一時保管部と還流庫とを結んで紙幣を搬送する搬送路とを備えた現金自動取引装置の一時保管部として用いることが好ましい。
【発明の効果】
【００１５】
本発明によれば、大きさの異なる紙幣を揃えて収納することができる。
【発明を実施するための最良の形態】
【００１６】
（第１の実施形態）
以下、本発明の実施形態を図面に基づいて説明する。図１は本発明を適用してなる現金自動取引装置の外観を示す図である。本実施形態の現金自動取引装置１０１は、顧客の取引カードや取引明細票を処理するカード／明細票処理機構１０２と、通帳を処理する通帳処理機構１０３と、筐体１０４と、取引に必要な情報を表示及び入力する顧客操作部１０５と、本体制御部１０６と、紙幣を取り扱う紙幣入出金装置１とを備えている。
【００１７】
図２は、現金自動取引装置の制御機構を示すブロック図である。カード／明細票処理機構１０２、通帳処理機構１０３、顧客操作部１０５及び紙幣入出金装置１は、バス１１０を介して本体制御部１０６と接続され、本体制御部１０６の制御の下に必要な動作を行うようになっている。この他に、インタフェース部１０７、係員操作部１０８、外部記憶装置１０９がバス１１０に接続され、必要なデータのやり取りを行うが、詳細な説明は省略する。なお、上記の各機構、構成部分は、電源部１１１により電力が供給される。
【００１８】
図３は、現金自動取引装置１０１に実装される紙幣入出金装置１の断面図であり、図４は、紙幣入出金装置１の制御機構を示すブロック図である。紙幣入出金装置１は、紙幣を出し入れする入出金口２と、紙幣の金種や真偽を判別する紙幣判別部３と、入金した紙幣を取引成立までの間一時的に収納する一時保管部４と、紙幣を収納する紙幣庫と、紙幣入出金装置１の各構成要素を結び、紙幣を搬送する搬送路５と、制御部９とを備えている。
【００１９】
紙幣庫はその役割に応じて分類され、例えば、出金紙幣として扱わない紙幣を収納する入金庫、入金された紙幣を金種別に収納し出金時にはそれら紙幣を放出する還流庫、還流庫に紙幣を装填し、また還流庫から紙幣を回収する装填回収庫８に分類される。本実施形態では、図３に示すように、装置下部に複数（例えば、４つ）の紙幣庫が併設され、右端が入金庫６、残りが還流庫７になっている。この場合、例えば、還流庫７は、左側から５０ユーロ札用，１００ユーロ札用，２００ユーロ札用とすることができる。また、装置中段には、装填回収庫８が備えられている。
【００２０】
紙幣入出金装置１は、金種と紙幣寸法との対応関係を記憶した記憶部ＤＢを備えていることから、紙幣の金種を判別することで、同時に紙幣寸法を把握することができる。なお、本実施形態において、紙幣判別部３は、紙幣種類の判別に加えて、紙幣の寸法を検知する紙幣寸法検出装置を備えている。
【００２１】
制御部９は、図４に示すように、本体制御部１０６とバス１１０を介して接続され、本体制御部１０６からの指令及び紙幣入出金装置１の状態検出に応じて紙幣入出金装置１の各装置の制御を行う一方、紙幣入出金装置１の状態を必要に応じて本体制御部１０６に送るようになっている。
【００２２】
次に、本発明が適用される一時保管部４の構成について詳細に説明する。一時保管部４は、入出金口２に投入された紙幣を一時的に集積し、その後放出する機構になっている。入出金口２には、寸法の異なる紙幣が投入されるため、一時保管部４は、寸法の異なる紙幣を順次重ねて収納するとともに、収納された紙幣を分離する機能が備えられている。
【００２３】
図５は、一時保管部４の構成を示す上面図、図６は、一時保管部４に紙幣を集積する状態を示す側断面図、図７は、一時保管部４から紙幣を放出する状態を示す側断面図である。本実施形態の一時保管部４は、紙幣を立位状態で集積し分離する機構になっている。
【００２４】
一時保管部４は、図示しない駆動源からギヤを介して回転駆動されるスタック・フィードローラ２０１と、スタック・フィードローラ２０１と同期駆動するピックアップローラ２１１と、スタック・フィードローラ２０１に従動して回転するバックアップローラ２０２と、収納方向に回転し、繰り出し方向には回転しないゲートローラ２０３と、ゲートローラと同軸上にあって可橈性の押込みシートが放射状に配置されたブラシローラ２０４と、後述する集積空間２２１内に送り込まれた紙幣の進行を案内する分離・集積ガイド２０５とを備えている。この構成によれば、紙幣を集積空間２２１から放出する際に、放出される紙幣に隣接する紙幣はゲートローラ２０３などから摩擦抵抗を受けるため、放出紙幣に追従して繰り出されることがない。
【００２５】
分離・集積ガイド２０５は、基端が回転自在に支持され、集積空間２２１側に紙幣の案内面が形成されている。すなわち、分離・集積ガイド２０５は、紙幣収納時は、図６に示すように、集積空間２２１側に向かって前傾し、取込放出口から紙幣進行方向の延長上に沿って紙幣案内面が配置される一方、紙幣放出時は、図７に示すように、ピックアップローラ２１１が露出する位置まで待避するようになっている。分離・集積ガイド２０５の先端部には、進行規制手段２９１が配置され、紙幣の進行位置を規制するとともに、この規制された紙幣を集積空間２２１に隣接する収納空間２２２に渡すようになっている。
【００２６】
集積空間２２１及び収納空間２２２は、床板２０８と、側壁２１３と、天板２１０と、押板２０６と、進行規制手段２９１と、分離・集積ガイド２０５とで囲まれて形成され、集積空間２２１は、収納空間２２２と分離・集積ガイド２０５との間に形成されている。すなわち、分離・集積ガイド２０５の案内面を通じて集積空間２２１内に取り込まれた紙幣は、進行規制手段２９１によって収納空間２２２に押し込まれ、順次重ねて収納される。
【００２７】
側壁２１３は、収納される紙幣の長手寸法に合わせて取り付け位置が調整自在になっている。２枚の側壁２１３の間隔は、例えば、最大紙幣の長手方向の寸法より約２ｍｍ〜１０ｍｍ程度大きい値に設定するのが好ましく、紙幣入出金装置１が取扱う最大寸法の紙幣を収納できるように、床面２０８と天板２１０との距離は、最大寸法の紙幣の短手方向の寸法よりも大きい値に設定するのが好ましい。また、押板２０６は、例えば、制御部９の指令に基づいて収納空間２２２の奥行き方向に移動可能になっている。
【００２８】
次に、本発明に係る進行規制手段２９１の構成について説明する。進行規制手段２９１は、分離・集積ガイド２０５の先端部に回転自在に支持され、集積空間２２１に取り込まれた紙幣が、分離・集積ガイド２０５の案内面の先端側（上方）に過剰に進行することを規制する機能を備えている。
【００２９】
図８は、進行規制手段２９１の構成図である。進行規制手段２９１は、図に示すように、回転軸２９２に支持されるベース部２９３と、ベース部２９３から放射状に等間隔で突出する規制部２９４とを備えている。規制部２９４は、先端を周方向にＬ字状に折り曲げて、紙幣の先端が進入する凹状のストッパ部２９５を形成している。本実施形態では、ベース部２９３に３つの規制部２９４を備えている。規制部２９４には、回転中に接触する紙幣との摩擦力を低減するため、転がり部材２９６が備えられ、少なくともベース部２９３の回転方向と反対方向に回転するようになっている。なお、本実施形態では、規制部２９４を３つ設置しているが、これに限定されるものではない。また、図５に示すように、進行規制手段２９１を紙幣幅方向に複数設けることで、集積紙幣３０１の上端部を複数箇所で規制できる。
【００３０】
以下、一時保管部４に紙幣を収容する際の動作について説明する。図９，１０は、一時保管部４に取り込まれた紙幣を収納空間２２２に収納する過程を説明する図である。図１１は、一時保管部４の制御機構を説明する図である。
【００３１】
制御部９は、一時保管部４の各駆動部やセンサなどの動作を制御している。金種と紙幣寸法を対応づけるデータベースを有する記憶部ＤＢを備えた紙幣検出手段３００は、紙幣判別部３を通過する紙幣の寸法を認識し、直ちにその情報を制御部９に伝達する。この際、制御部９には、紙幣の搬送順番の情報も同時に伝達される。
【００３２】
制御部９は、スタック・フィードローラ用駆動モータ２０１ｍを駆動させて、スタック・フィードローラ２０１とゲートローラ２０３を回転させ、紙幣判別部３を通過した集積紙幣３０１を集積空間２２１内に送り込む。集積空間２２１内に取り込まれた集積紙幣３０１は、分離・集積ガイド２０５の紙幣案内面に沿って立位状態を保って案内される。
【００３３】
次に、制御部９は紙幣判別部３で得られた集積紙幣３０１の情報に基づいて、進行規制手段用駆動モータ２９１ｍを駆動させ、図９に示すように、進行規制手段２９１を時計方向に回転させて、床面２０８から進行規制手段２９１のストッパ部２９５までの距離が、集積紙幣３０１の進行方向長さと同等になるように制御する。分離・集積ガイド２０５を案内される集積紙幣３０１は、進行方向先端がストッパ部２９５と衝突して停止し、これにより進行位置が規制される。
【００３４】
続いて、図１０に示すように、進行規制手段２９１の回転に伴い、集積紙幣３０１の先端部からストッパ部２９５が外れると、この集積紙幣３０１は、ブラシローラ２０４及び新たな規制部２９４によって収納空間２２２側に送り込まれ、集積紙幣３０１の後端部を床面２０８に揃えて収納紙幣３０２に押し付けられる。
【００３５】
以上の動作を連続的に行う、つまり、各紙幣の大きさに合わせて紙幣単位でストッパ部２９５の回転角度を制御することにより、寸法の異なる紙幣を連続して集積し、収納空間２２２の床面２０８上に揃えて収納できる。
【００３６】
ところで、集積紙幣３０１を進行規制手段２９１によって収納空間２２２に送り込む際に、規制部２９４の回転動作に伴い、集積紙幣３０１が床面２０８から浮き上がる恐れがある。すなわち、集積紙幣３０１が収納空間２２２に収納される前に規制部２９４との摩擦によって浮き上がると、集積紙幣３０１を揃えて収納することが困難となる。
【００３７】
そこで、本実施形態では、進行規制手段２９１の規制部２９４が紙幣と接触する部分に転がり部材２９６を設けている。これにより、集積紙幣３０１と規制部２９４との摩擦を低減できるため、集積紙幣３０１の浮き上がりを抑制できる。
【００３８】
また、本実施形態では、分離・集積ガイド２０５を図示しないバネなどにより収納空間２２２側に弾発的に付勢し、進行規制手段２９１が収納紙幣３０２に所定の圧力で接触するようになっている。これにより、進行規制手段２９１と収納紙幣３０２との間に隙間が生じる機会が減少し、集積空間２２１に取り込まれた集積紙幣３０１の進行をより確実にストッパ部２９５で規制するとともに、集積紙幣３０１を短い距離で収納空間２２２に送り込むことができる。このため、集積紙幣３０１を収納空間２２２に収納する際に、集積紙幣３０１の浮き上がりを抑制できる。また、万が一、集積紙幣３０１が進行規制手段２９１のストッパ部２９５から外れても、進行規制手段２９１と収納紙幣３０２との間の擦り抜けを抑制できる。
【００３９】
一方、収納空間２２２に紙幣を集積し続けると、次第に収納紙幣３０２が増加して、収納紙幣３０２が進行規制手段２９１から受ける圧力、つまり、収納紙幣３０２が進行規制手段２９１に及ぼす反力が増加し、進行規制手段２９１は、分離・集積ガイド２０５とともに、図９の右側に回動するようになる。
【００４０】
そこで、収納紙幣３０２が進行規制手段２９１から受ける圧力を検出し、この検出値が所定以上になったとき、制御部９は、押板用駆動モータ２０６ｍを駆動させて、収納空間２２２の収納容量を増加、つまり押板２０６を進行規制手段２９１と反対方向に所定量後退させるようにする。これにより、紙幣を集積し続けても、常に所定容量の集積空間２２１を確保することができる。また、収納紙幣３０２が受ける圧力を検出する方法に代えて、例えば、分離・集積ガイド２０５の回動量又は後退量を検知して同様に制御するようにしてもよい。
【００４１】
また、本実施形態では、図８乃至１０に示すように、進行規制手段２９１と同軸上に、可撓性のシート状に形成されたシート部材３０３を配置している。このシート部材３０３は、進行規制手段２９１の回転方向とは逆方向に回転する。そして、シート部材３０３は、図１０に示すように、進行規制手段２９１の転がり部材２９６が集積紙幣３０１に接触する前に集積紙幣３０１に接触する位相で回転し、上方から集積紙幣３０１を収納空間２２２の収納紙幣３０２に押し付けている。なお、シート部材３０３は、例えば、進行規制手段２９１の３倍の速度で回転させるようにする。
【００４２】
このように、進行規制手段２９１が集積紙幣３０１に接触する前に、シート部材３０３を集積紙幣３０１に接触させることで、集積紙幣３０１は、進行規制手段２９１から上向きの力を受ける前に下向きの力が作用し、収納紙幣３０１に押し付けられる。そして、集積紙幣３０１は、収納紙幣３０２に押し付けられて平面状で重なると、収納紙幣３０２との摩擦が生じるため、その後、進行規制手段２９１から上向きの力を受けても、上方にすくわれることがなくなる。
【００４３】
本実施形態では、シート部材３０３を進行規制手段２９１の回転軸２９２に１つ備えた例を示しているが、これに限定されるものではなく、例えば、進行規制手段２９１の回転軸２９２の軸方向や、円周方向に複数備えてもよいし、進行規制手段２９１の回転軸２９２以外の場所に備えるようにしてもよい。
【００４４】
次に、一時保管部４から紙幣を放出する動作について説明する。一時保管部４から紙幣を放出する際は、まず、進行規制手段２９１及びシート部材３０３を紙幣と干渉しない回転角度に調整して固定する。その後、押板２０６を分離・集積ガイド２０５側に移動させて、収納紙幣３０２を分離・集積ガイド２０５に押し付ける。同時に、分離・集積ガイド２０５及び進行規制手段２９１を退避させ、ピックアップローラ２１１を露出させる。そして、ピックアップローラ２１１を回転させることにより、収納紙幣３０２を一枚ずつ分離しながら一時保管部４の外に放出する。ここで、本実施形態の一時保管部４は、紙幣の大きさにかかわらず、床面２０８に揃えて収納しているため、安定した紙幣の放出を実現できる。なお、一時保管部４から分離された紙幣は金種ごとに還流庫７に搬送されて収納される。
【００４５】
本実施形態では、進行規制手段２９１及びシート部材３０３の回転軸２９２を分離・集積ガイド２０５で支持しているため、収納紙幣３０２の分離動作時において、進行規制手段２９１及びシート部材３０３は、分離・集積ガイド２０５と共に退避する構造となっているが、分離・集積ガイド２０５と進行規制手段２９１とシート部材３０３のそれぞれが独立して移動する構造としてもよい。
【００４６】
次に、本実施形態の転がり部材２９６に代わる他の実施形態について説明する。図１２は、本発明の他の実施形態に係る進行規制手段の構成を示す図である。
【００４７】
本実施形態の進行規制手段３１１には、図に示すように、進行規制手段３１１の回転に伴い、被接触物、つまり紙幣に対する相対速度が零になるように遊星回転する回転部材３１２が備えられている。すなわち、回転部材３１２は、集積空間２２１に取り込まれた集積紙幣３０１を収納空間２２２の収納紙幣３０２に押し付ける機能を備えているが、集積紙幣３０１との接触において、相対速度が零になるため、集積紙幣３０１の浮き上がりを抑制できる。
【００４８】
以上述べたように、上記実施形態によれば、進行規制手段２９１を収納空間２２２側に押圧しているから、進行規制手段２９１と収納空間２２２との間の距離を短くすることができ、集積空間２２１に取り込まれた集積紙幣３０１の進行位置をより確実に規制することができる。また、この規制された集積紙幣３０１を短い距離で収納空間２２２に送り込むことができる
ため、集積紙幣３０１を収納空間２２２に送り込む過程で、集積紙幣３０１の浮き上がりを抑制し、大きさの異なる紙幣を揃えて収納することができる。よって、本実施形態の一時保管部４は、大きさの異なる紙幣の集積、分離を安定的に行うことができる。
【００４９】
また、進行規制手段２９１は、規制部２９４に転がり部材２９６や回転部材３１２を備えているため、集積紙幣３０１と規制部２９４との摩擦が低減され、集積紙幣３０１の浮き上がりを抑制できる。これにより、集積紙幣３０１を収納空間２２２内に揃えて収納することができる。
【００５０】
さらに、進行規制手段２９１により進行位置が規制された紙幣を、進行規制手段２９１に先立って、シート部材３０３により収納空間２２２に押し付けるようにしているから、進行規制手段２９１による紙幣の浮き上がりを防止し、集積紙幣３０１を収納空間２２２内に揃えて収納することができる。
【００５１】
また、上記実施形態において、装填回収庫８は、各還流庫７に紙幣を装填し、各還流庫７から紙幣を回収するものであるため、一時保管部４と同様、還流庫７が取り扱う全ての紙幣、つまり大きさの異なる紙幣を集積する必要がある。このため、上記実施形態の構成を充填回収庫８に適用することで、大きさの異なる紙幣の装填、回収を１つの装填回収庫８で行うことができる。また、本実施形態の構成を入金庫６や還流庫７に適用してもよい。
【００５２】
また、上記実施形態では、紙幣を立位で収納する横置き型の収納装置について説明したが、図１３に示すように、紙幣を水平に収納する縦置き型の収納装置にも適用できる。なお、上記実施形態が取り扱う対象は、紙幣に限定されず、全ての紙葉類に適用することができる。
【図面の簡単な説明】
【００５３】
【図１】本発明を適用してなる現金自動取引装置の外観図である。
【図２】現金自動取引装置の制御機構を示すブロック図である。
【図３】現金自動取引装置に実装される紙幣入出金装置の断面図である。
【図４】紙幣入出金装置の制御機構を示すブロック図である。
【図５】一時保管部の構成を示す上面図である。
【図６】一時保管部に紙幣を集積する状態を示す側断面図である。
【図７】一時保管部から紙幣を放出する状態を示す側断面図である。
【図８】一時保管部の進行規制手段の構成図である。
【図９】一時保管部に取り込まれた紙幣を収納する過程を説明する図である。
【図１０】一時保管部に取り込まれた紙幣を収納する過程を説明する図である。
【図１１】一時保管部の制御機構を説明する図である。
【図１２】一時保管部の進行規制手段の構成図である。
【図１３】紙幣を横置きに収納する一時保管部の側断面図である。
【符号の説明】
【００５４】
１  紙幣入出金装置
３  紙幣判別部
４  一時保管部
５  搬送路
６  入金庫
７  還流庫
８  装填回収庫
９  制御部
１０１  現金自動取引装置
２０１  スタック・フィードローラ
２０２  バックアップローラ
２０３  ゲートローラ
２０５  分離・集積ガイド
２０６  押板
２０８  床面
２２１  集積空間
２２２  収納空間
２９１，３１１  進行規制手段
２９３  ベース部
２９４  規制部
２９５  ストッパ部
２９６  転がり部材
３０１  集積紙幣
３０２  収納紙幣
３０３  シート部材
３１２  回転部材
【図１】
2006163917.tif 000003
【図２】
2006163917.tif 000004
【図３】
2006163917.tif 000005
【図４】
2006163917.tif 000006
【図５】
2006163917.tif 000007
【図６】
2006163917.tif 000008
【図７】
2006163917.tif 000009
【図８】
2006163917.tif 000010
【図９】
2006163917.tif 000011
【図１０】
2006163917.tif 000012
【図１１】
2006163917.tif 000013
【図１２】
2006163917.tif 000014
【図１３】
2006163917.tif 000015